(57)【要約】【課題】事務机、学童机、ベッドの頭部に載設される衝立に関するものであり、刻溝面を持つ杉板を有する脳活性化並びに汚染物質浄化の機能性を持つ杉木口スリット材の衝立を提供する。【解決手段】室内に設置して、リラックス、集中力の増大に役立つ木製衝立において、厚さ１０〜２０ｍｍの樹齢２０年以上の杉板材であって、前記杉板材の片面に４〜８ｍｍの幅、４〜８ｍｍの深さの角型溝部を木目に直角方向に連続的に線状刻設した刻溝面と、他面には表面加工した平滑な自然模様を呈している杉板面であり、前記杉板材の刻溝面を内側にして２０〜６０ｍｍ厚さの桟枠にて嵌め込み式にした枠付き刻溝面を持つ杉板を、固定台付き１体、又は丁番付き２〜３体になっている。【選択図】図１
0003220063.tif 000002
【実用新案登録請求の範囲】
【請求項１】
室内に設置して、リラックス、集中力の増大に役立つ木製衝立において、厚さ１０〜２０ｍｍの樹齢２０年以上の杉板材であって、前記杉板材の片面に４〜８ｍｍの幅、４〜８ｍｍの深さの角型溝部を木目に直角方向に連続的に線状刻設した刻溝面と、他面には表面加工した平滑な自然模様を呈している杉板面であり、前記杉板材の刻溝面を内側にして２０〜６０ｍｍ厚さの桟枠にて嵌め込み式にした枠付き刻溝面を持つ杉板を、固定台付き１体、又は丁番付き２〜３体になっていることを特徴とする杉木口スリット材の衝立。
【請求項２】
前記刻溝面は、幅２００〜７００ｍｍ、長さ２００〜１５００ｍｍの前記杉板材の片面に４〜８ｍｍの幅、４〜８ｍｍの深さの四角状溝部を、木目と逆方向で整列的連続に線状刻設させた杉木製凹凸状面にして、脳活性化に効果的な状態として、刻溝面の面積を０．１５ｍ２以上にして、所望の寸法・形状の大きさに合わせ、或いは切断した杉木口スリット材を枠付き及び固定具付きで使用されていることを特徴とする請求項１に記載の杉木口スリット材の衝立。
【請求項３】
前記枠付き刻溝面を持つ杉板を有する衝立は、１体当たりの大きさとして、横３００〜９００ｍｍ、縦３００〜１５００ｍｍ、２〜３連結体にては１体の大きさを、横３００〜６００ｍｍ、縦３００〜６００ｍｍにしており、０．３〜１．３５ｍ２の杉木口スリット材の面積当たりにしていることを特徴とする請求項１、又は請求項２に記載の杉木口スリット材の衝立。
【考案の詳細な説明】
【技術分野】
【０００１】本考案は、事務机、学童机、ベッドの頭部に載設される衝立に関するものであり、刻溝面を持つ杉板を有する脳活性化並びに汚染物質浄化の機能性を持つ杉木口スリット材の衝立に関する。
【背景技術】
【０００２】独特の香りにより気持ちをリラックスさせて、精神安定効果を有する屏風、衝立等の自立形間仕切り家具において、上下左右を囲むように設けた枠部の前記左右枠部間に無双窓を設けた自立形間仕切り家具を提供されている（特許文献１参照）。【０００３】木質パネルは、低比重材のエンドグレインパネルからなる基部及びその片面側に固定された木材の製材品からなる木質本体と、複数の木質本体間を屈曲可能に連結する連結シートとを具備して、壁構造は、木質パネルを、固定具を介して壁に脱着可能に取り付けてなる壁構造であって、災害時等の必要時に、前記壁から取り外した木質パネルを、床に敷いて歩行路確保用の床パネル又は睡眠用の床マットとして使用可能であることを提案されている（特許文献２参照）。【０００４】学校用机の廃棄天板を再利用した学校用机であって、既存天板の裏面に溝状刻設した杉板材を嵌め込み式にして、既存天板とに微隙間を持って設置できるような構造になって、杉材の木質構造によって室内の汚染ガスの浄化の機能を持つこと、および脳波における活性化の機能を持つ、前記嵌め込み式カバー状天板が、表面積で０．２〜１ｍ２であることが示されている（特許文献３参照）。【０００５】寝具を構成する木材製部材の表面を焦がすことによって炭化層を形成し、これを寝具形成用として使用したとき、木材自体が有する寝具材としての特性を何等失うことなく、遠赤外線の放射機能が増大する。木材の面を焦がすことによって、遠赤外線の放射率が理想黒体に限りなく近づく。これにより寝具を形成することによって、木材とくに桐材が有する寝具としての理想に近い熱伝導性と蓄熱性に加えて、適正な睡眠状態にきわめて早く到達することができ、真夏、真冬においても、就寝の直後から快適な睡眠条件をもたらすことになることが記載されている（特許文献４参照）。【０００６】紙類、プラスチック、又は木材にて作成した、四角い箱状または多角柱状の、前方に開口を有する開管型気柱からなり、開管型気柱の上部に、タブレット型コンピューター、スマートフォン、または携帯電話を差し込む穴をあけるための切込みを入れ、開管型気柱の下部にコの字型の切込みを入れ、開管型気柱の前方下部に、前方５を内側に折り曲げるための切込みを入れる。タブレット型コンピューター、スマートフォン等の台座や衝立になり、厚手の紙などで折りたためる為に携帯性に優れており、さらに音を増幅させるスピーカーになり、安価に制作する事が出来ることが記載されている（特許文献５参照）。【０００７】室内に設置して、リラックス、集中力の増大に役立つ木製衝立において、脳活性化に効果的な状態にするものは存在していない。
【先行技術文献】
【特許文献】
【０００８】
【特許文献１】実用新案登録第３０６８０５２号公報
【特許文献２】特開２０１３−１８８９７９号公報
【特許文献３】実用新案登録第３１８１７２４号公報
【特許文献４】特開平７−１３２１０７号公報
【特許文献５】実用新案登録第３１９２８９３号公報
【考案の概要】
【考案が解決しようとする課題】
【０００９】本考案は、最近環境に影響を与えない天然の杉木材が見直され、全体が天然杉木材にて造られた家屋、家具では検討されているが、広板材としては入手が難しくなっている。また、木材の香りとして人体に近くて、最も健康に、精神的に影響を与えると考えられる天然の杉木材にて作製されたスリット状板の提供を目的とするものである。【００１０】事務机、学童机、ベッドの頭部に載設される衝立で、刻溝面を持つ杉板を有する脳活性化並びに汚染物質浄化の機能性を持つ杉木口スリット材の衝立を使用すると、杉板のスリットを刻設した杉板木材を嵌め込み式衝立に貼り合せる。上記問題点の解決を意図するものであり、リラックス、睡眠、勉学中、脳の活性化と汚染物質を含む空気を高い効率で浄化できる脳に効果を与える用具を提供することを目的とする。
【課題を解決するための手段】
【００１１】本考案者らは、上記課題を解決するために鋭意研究を重ねた結果として、本発明を完成させた。以下の方法などが提供され、そのことにより上記課題が解決される。（１）杉の木質成分の呼吸による脳の活性化と、（２）汚染物質を含む空気を杉の木口面に接触させて、杉の有効成分と空気の浄化方法であって、ここで、室内で脳の活性化の促進によって優れた環境にしている。【００１２】室内に設置して、リラックス、集中力の増大に役立つ木製衝立において、厚さ１０〜２０ｍｍの樹齢２０年以上の杉板材であって、前記杉板材の片面に４〜８ｍｍの幅、４〜８ｍｍの深さの角型溝部を木目に直角方向に連続的に線状刻設した刻溝面と、他面には表面加工した平滑な自然模様を呈している杉板面であり、前記杉板材の刻溝面を内側にして２０〜６０ｍｍ厚さの桟枠にて嵌め込み式にした枠付き刻溝面を持つ杉板を、固定台付き１体、又は丁番付き２〜３体になっている。【００１３】前記刻溝面は、幅２００〜７００ｍｍ、長２３００〜１５００ｍｍの前記杉板材の片面に４〜８ｍｍの幅、４〜８ｍｍの深さの四角状溝部を、木目と逆方向で整列的連続に線状刻設させた杉木製凹凸状面にして、脳活性化に効果的な状態として、刻溝面の面積を０．１５ｍ２以上にして、所望の寸法・形状の大きさに合わせ、或いは切断して使用されている。【００１４】前記枠付き刻溝面を持つ杉板を有する衝立は、１体当たりの大きさとして、２００〜９００ｍｍ、２００〜１５００ｍｍであり、２〜３連結体における１体の大きさは、横３００〜６００ｍｍ、縦３００〜６００ｍｍであり、０．３〜１．３５ｍ２の面積当たりにしている。【００１５】杉は裸子植物門・球果植物綱の樹木である。任意のスギが使用可能である。本考案に好ましく使用可能な具体的なスギの種類としては、例えば、屋久杉、神代杉、春日杉、吉野杉、秋田杉、土佐杉、御山杉、霧島杉、市房杉、日光杉、北山杉、日田杉、天竜杉などがある。【００１６】杉材の表面において、二酸化窒素は空気中の水分と反応して硝酸と亜硝酸になり、木材内部に沈着する。杉材の表面においては、この反応が極めて速い速度で進むため、杉が二酸化窒素を高い効率で浄化できると考えられる。杉材は、その内部に様々な微量成分を含有することが知られている。例えば、スギがジテルペン、トリテルペン、セスキテルペン、フラボノイド、リグナンなどを含有することが研究されている。このような杉の成分が、脳の活性化と窒素酸化物を含む空気の高効率の浄化に役立っていると考えられる。【００１７】また杉は一般に、長い繊維を有するが、木口面においては、その長い繊維の断面が露出されることになり、この断面から木材の深い部分にまで空気が入りやすい。このことも、窒素酸化物の浄化に役立っていると考えられる。また針葉樹は一般に、仮導管が均一に配列し、木口面においては、その長い繊維の横断面が露出されることになり、この断面から木材の深い部分にまで空気が入りやすい。このことも、窒素酸化物の浄化に役立っていると考えられる。【００１８】杉の木材の樹齢は、特に限定されない。若齢木を用いてもよく、古材を用いても良い。若齢木を用いる場合には、間伐材を用いることができる点で好ましい。具体的には、杉の若齢木を用いることが好ましい。例えば、樹齢２５年〜３５年のものが好ましい。杉古材には材中にタンニンが含まれる。このため、杉古材を用いた場合には、大量（二酸化窒素浄化量の３分の１程度）の一酸化窒素が発生するため、好ましくない。【００１９】本考案に用いる木材は、心材、すなわち、樹木の中心部の着色した材でもよく、辺材、すなわち、外周部の材でもよい。心材が好ましい。心材を用いる場合には、赤化した赤心材であってもよく、黒化した黒心材であってもよい。黒心材がより好ましい。杉材は、伐採した後、必要に応じて乾燥させた後に使用される。ここで、乾燥の際の温度が高すぎると、木材内のヘミセルロースが分解しやすくなる。ヘミセルロースが分解するとホルムアルデヒドが出るので、ホルムアルデヒドの生成を抑制するため、乾燥は低温で行うことが好ましい。たとえば、乾燥温度は、７０℃以下であることが好ましい。【００２０】杉を切断した木材の木口面を、二酸化窒素を含有する空気に接触させる。従って、木口面が表面に露出するように杉は切断される。木口面とは、木の繊維方向に対して略９０°の面をいう。好ましくは、約７０〜１１０°である。より好ましくは、約８０〜１００°である。さらに好ましくは、約８５〜９５°である。
【考案の効果】
【００２１】睡眠中、リラックス中、勉学中における脳の活性化と雰囲気改善によって精神安定、睡眠熟睡、学業の向上がもたらされる。木の香り発散と空気の浄化については、精神的環境を安定化したり、汚染物質との吸着による浄化できる。そのうち、杉木口面との反応による効果は大きく、辺材、心材によって影響を受けるが、効果としては一定の値であるが、長時間持続される。
【図面の簡単な説明】
【００２２】
【図１】  杉木口スリット材の衝立の斜視図を示す。Ａ：一枚の衝立  Ｂ：２連結衝立  Ｃ：３連結衝立
【図２】  杉木口スリット材の衝立１枚と構造図と断面図を示す。Ａ：構造  Ｂ：断面
【図３】  杉木口スリット材の衝立に使用されている杉木口スリット材の拡大図を示す。
【図４】  杉木口スリット材の二連衝立の取り付け部の蝶番取り付け図を示す
【図５】  杉木口スリット材の衝立をベッドに利用図を示す。
【図６】  杉木口スリット材の衝立に机に使用の図を示す。
【考案を実施するための形態】
【００２３】以下、本考案を詳細に説明する。
本考案に係る杉木口スリット材の衝立について以下図面に基づいて説明する。
【実施例１】
【００２４】図１Ｂに示すように室内に設置して、リラックス、集中力の増大に役立つ木製衝立において、厚さ１０ｍｍの杉板材であって、前記杉板材の片面に６ｍｍの幅、６ｍｍの深さの角型溝部を木目に直角方向に連続的に線状刻設した刻溝面と、他面には表面加工した平滑な自然模様を呈している杉板面であり、前記杉板材の刻溝面を内側にして２０ｍｍ厚さの桟枠にて嵌め込み式にした枠付き刻溝面を持つ杉板を、丁番付き２体にした。【００２５】図２に示すように前記刻溝面は、１枚当たり横３６０ｍｍ、縦２６０ｍｍの前記杉板材の片面に６ｍｍの幅、６ｍｍの深さの四角状溝部を、木目と逆方向で整列的連続に線状刻設させた杉木製凹凸状面にして、脳活性化に効果的な状態として、２枚の刻溝面の面積を９６０ｃｍ２以上にして、所望の寸法・形状の大きさに合わせ、或いは切断して使用した。【００２６】前記枠付き刻溝面を持つ杉板を有する衝立は、２面体当たりの大きさとして、横７２０ｍｍ、縦２６０ｍｍであり、図５に示すように一般の家庭でのベットの頭の傍に置いた場合に睡眠が十分にとれて熟睡が可能となった
【実施例２】
【００２７】室内の勉強部屋のデスクに設置して、リラックス、集中力の増大に役立つ木製衝立において、図３に示すように厚さ１０ｍｍの杉板材であって、前記杉板材の片面に６ｍｍの幅、６ｍｍの深さの角型溝部を木目に直角方向に連続的に横線状刻設した刻溝面と、他面には表面加工した平滑な自然模様を呈している杉板面であり、前記杉板材の刻溝面を内側にして３０ｍｍ厚さの桟枠にて嵌め込み式にした枠付き刻溝面を持つ杉板を丁番付き３体にした。【００２８】図１Ｃに示すように前記刻溝面は、中心部面を横幅５００ｍｍ、縦長さ４００ｍｍ、両サイト面を横幅２５０ｍｍ、縦長さ４００ｍｍにして、前記杉板材の片面に６ｍｍの幅、６ｍｍの深さの四角状溝部を、木目と逆方向で整列的連続に横線状刻設させた杉木製凹凸状面にして、脳活性化に効果的な状態として、刻溝面の面積を０．２ｍ２以上にして、所望の寸法・形状の大きさに合わせ、或いは切断して使用された。【００２９】前記枠付き刻溝面を持つ杉板を有する３連結衝立は、図６に示すように勉強机上において、自習を行う場合に集中力が向上して、勉学がはかどった。また裏面に図４に示すように板目の装飾性を示して、部屋環境的にも効果を持たらされたた。
【実施例３】
【００３０】室内に設置する１枚衝立として、病院内のパーティション的効果として使用して、リラックス性を高める役立つ木製衝立にした。厚さ１５ｍｍの杉板材であって、前記杉板材の片面に６ｍｍの幅、６ｍｍの深さの角型溝部を木目に直角方向に連続的に横線状刻設した刻溝面と、他面には表面加工した平滑な自然模様を呈している杉板面であり、前記杉板材の刻溝面を内側にして３０ｍｍ厚さの桟枠にて嵌め込み式にした枠付き刻溝面を持つ杉板を、幅５５ｍｍ、長さ２１０ｍｍの脚台の固定台付き１体にした。【００３１】前記刻溝面は、横幅６００ｍｍ、縦長さ１３００ｍｍの前記杉板材の片面に６ｍｍの幅、６ｍｍの深さの四角状溝部を、木目と逆方向で整列的連続に横線状刻設させた杉木製凹凸状面にして、脳活性化に効果的な状態として、刻溝面の面積を０．７ｍ２以上にして、所望の寸法・形状の大きさに合わせ、或いは切断して使用された。【００３２】前記枠付き刻溝面を持つ杉板を有する一枚板の衝立は、パーティションとして種々利用され、その上空気の浄化ももたらせて、更に脳の活性化にも役立ち非常に精神的効果をもたらせた。
【符号の説明】
【００３３】１．杉木口スリット材
２．溝凹部
３．凸部
４．木目
５．縁部
６．脚台
７．丁番
８．裏板
９．杉木口スリット材の衝立
１０．ベッド
１１．机
１２．枕
１３．衝立
１４．留め具
【図１】
0003220063.tif 000003
【図２】
0003220063.tif 000004
【図３】
0003220063.tif 000005
【図４】
0003220063.tif 000006
【図５】
0003220063.tif 000007
【図６】
0003220063.tif 000008
【手続補正書】
【提出日】平成30年11月19日(2018.11.19)
【手続補正１】
【補正対象書類名】実用新案登録請求の範囲
【補正対象項目名】全文
【補正方法】変更
【補正の内容】
【実用新案登録請求の範囲】
【請求項１】
室内に設置して、リラックス、集中力の増大に役立つ木製衝立において、厚さ１０〜２０ｍｍの樹齢２０年以上の杉板材であって、前記杉板材の片面に４〜８ｍｍの幅、４〜８ｍｍの深さの角型溝部を木目に直角方向に連続的に線状刻設した刻溝面と、他面には表面加工した平滑な自然模様を呈している杉板面であり、前記杉板材の刻溝面を内側にして２０〜６０ｍｍ厚さの桟枠にて嵌め込み式にした枠付き刻溝面を持つ杉板を、固定台付き１体、又は丁番付き２〜３体になっていることを特徴とする杉木口スリット材の衝立。
【請求項２】
前記刻溝面は、幅２００〜７００ｍｍ、長さ２００〜１５００ｍｍの前記杉板材の片面に４〜８ｍｍの幅、４〜８ｍｍの深さの四角状溝部を、木目と直角方向で整列的連続に線状刻設させた杉木製凹凸状面にして、脳活性化に効果的な状態として、刻溝面の面積を０．１５ｍ２以上にして、所望の寸法・形状の大きさに合わせ、或いは切断した杉木口スリット材を枠付き及び固定具付きで使用されていることを特徴とする請求項１に記載の杉木口スリット材の衝立。
【請求項３】
前記枠付き刻溝面を持つ杉板を有する衝立は、１体当たりの大きさとして、横３００〜９００ｍｍ、縦３００〜１５００ｍｍ、２〜３連結体にては１体の大きさを、横３００〜６００ｍｍ、縦３００〜６００ｍｍにしており、０．３〜１．３５ｍ２の杉木口スリット材の面積当たりにしていることを特徴とする請求項１、又は請求項２に記載の杉木口スリット材の衝立。